(57)【特許請求の範囲】
【請求項１】
内側面に多数の固定部材固定溝１２０が形成され、前面、背面及び上面が開放した管体１１０と、前記管体の一側上端内面に長手方向に形成されたレール溝部１３０と、他側末端部に長手方向に形成されたレール突起１４０と、他側外面に形成された係止具１５０とを含んでなる軒樋フレーム１００；
前記軒樋フレーム１００に形成されたレール突起１４０にスライド方式で締結されるように一側端に形成されたレール溝部２１０と、固定部材２０によって屋根の軒１０に固定するために他側面に形成された固定ホール２２０と、上側面に長手方向に形成された第１レール結合具２３０と、末端に係止突起２４１が形成された第２レール結合具２４０とを含んでなる軒樋固定フレーム２００；
前記軒樋フレーム１００に形成されたレール溝部１３０に締結されるように、一側端に長手方向にレール突起３１０が形成され、他側端上面に長手方向にレール固定段３２０が形成された平板状の固定ピン３００；及び
平板体４１０と、前記平板体４１０の一側端に形成され、前記固定ピン３００に形成されたレール固定段３２０が結合されて水平方向に引き出されないように末端に固定段４２１が形成された支持片４２０によって３段に形成された扇形の係止部材４３０と、前記平板体４１０の他側端下面に形成され、前記軒樋固定フレーム２００の第２レール結合具２４０に対応して締結されるように末端に係止突起４５１が形成された第２レール係合具４５０と、前記平板体４１０の下面に形成され、前記軒樋固定フレーム２００の第１レール結合具２３０に対応して締結されるように形成された第１レール係合具４４０とを含んでなる角度調節クリップ４００；を含むことを特徴とする、軒樋組立体。
【請求項２】
軒樋固定フレーム２００に形成された固定ホール２２０に固定部材２０を締結して前記軒樋固定フレーム２００を屋根の軒１０の上端に固定した後、屋根の傾斜度に合わせて固定ピン３００のレール固定段３２０を３段に形成された角度調節クリップ４００の係止部材４３０に締結し、前記角度調節クリップ４００が締結された固定ピン３００のレール突起３１０を軒樋フレーム１００のレール溝部１３０に締結した後、前記軒樋フレーム１００のレール突起１４０を前記屋根の軒１０の上端に固定された軒樋固定フレーム２００のレール溝部２１０に結合し、前記角度調節クリップ４００の第１レール係合具４４０及び第２レール係合具４５０を前記軒樋固定フレーム２００の第１レール結合具２３０及び第２レール結合具２４０にそれぞれ締結して仕上げることを特徴とする、軒樋組立体の施工方法。
【請求項３】
前記軒樋フレーム１００と軒樋固定フレーム２００に設置される固定ピン３００及び角度調節クリップ４００は１ｍの幅（ｗ）を介在して設置されることを特徴とする、請求項２に記載の軒樋組立体の施工方法。
【請求項４】
前記固定ピン３００に形成されたレール固定段３２０の一側端上端部には、差し込み方向にそれ以上差し込まれないようにする押込防止突起３３０が形成されることを特徴とする、請求項１に記載の軒樋組立体。
【請求項５】
前記角度調節クリップ４００の支持片４２０によって３段に形成された係止部材４３０には、１５度（ａ、ｂ、ｃ）の間隔で第１貫通路４６１、第２貫通路４６２及び第３貫通路４６３が形成されることを特徴とする、請求項１に記載の軒樋組立体。
【請求項６】
前記軒樋フレーム１００の開放した前面または背面に止水板５００が位置し、前記軒樋フレーム１００に形成された固定部材固定溝１２０に多数の固定部材２０を締結して前記止水板５００を固定することを特徴とする、請求項１に記載の軒樋組立体。
【請求項７】
前記軒樋フレーム１００に形成された係止具１５０を屋根の軒１０に定着した係合具６００にかけて前記軒樋フレーム１００を堅固に支持するようになることを特徴とする、請求項１に記載の軒樋組立体。
【発明の詳細な説明】
【技術分野】
【０００１】
本発明は、軒樋組立体及びその施工方法に関し、より詳しくは屋根の傾斜度によって組立状態を変更して施工及び解体を容易にし、軒と軒樋間の漏水を防止するとともに建物の見掛けを美麗にする軒樋組立体及びその施工方法に関する。
【背景技術】
【０００２】
屋根構造物は雨や雪または日光から通行者を保護する手段として使われる。このような屋根構造物は、通常柱の上端に屋根骨組を設置し、屋根骨組に屋根板を設置することで構成される。
【０００３】
屋根構造物は、柱に支持される屋根フレーム上に透明または不透明な屋根材を設置することで構成され、屋根材の両端には屋根から下がる水を集めて一側の縦樋に排出させるための軒樋を備えている。このような構成の屋根構造物は、軒樋を屋根の軒先に位置しているカバーに固定することにより、軒先が軒樋の内側に位置する状態となるように軒樋が設置される。
【０００４】
このような従来の屋根構造物は、屋根構造物の全体大きさや屋根構造物が設置される地形の気候特性によって屋根の傾きが変わる。このような屋根構造物を構成する屋根は、雪や雨がたくさん降る地域では屋根の傾きを急にして屋根上の雪や雨水が易しく地上に下がることができるように構成され、雪や雨が少なくて風が多い地域の場合には屋根の傾きを緩やかにして風の影響を少なく受けることができるようにした。
【発明の概要】
【発明が解決しようとする課題】
【０００５】
このように構成される軒の傾斜が変わることによって軒樋の形態も変わらなければならないが、このように互いに異なる角度を成す軒に合わせて軒樋本体の形態を異にして製作することに大きな困難さがある。
【０００６】
したがって、軒樋を屋根の軒に設置する場合、軒の傾斜を考慮して軒樋を選択しなければならない難しさとともに、軒と軒樋の間に隙間が生じ、屋根から下がった水が軒樋と軒の間に流れて屋根構造物の内側に流れる問題があった。
【０００７】
したがって、前述した問題点を解決するために、本発明の第１目的は、屋根の傾斜度に合わせることができる軒樋組立体を提供することである。
【０００８】
本発明の第２目的は、軒樋を軒に密着するように設置することで、軒と軒樋間の漏水を防止するとともに、建物の見掛けを美麗にする軒樋組立体及びその施工方法を提供することである。
【０００９】
本発明の第３目的は、軒樋を堅固に支持して外部の衝撃にも外形を維持するようにする軒樋組立体を提供することである。
【課題を解決するための手段】
【００１０】
上記課題を解決するために、本発明に係る軒樋組立体は、内側面に多数の固定部材固定溝１２０が形成され、前面、背面及び上面が開放した管体１１０と、前記管体の一側上端内面に長手方向に形成されたレール溝部１３０と、他側末端部に長手方向に形成されたレール突起１４０と、他側外面に形成された係止具１５０とを含んでなる軒樋フレーム１００；前記軒樋フレーム１００に形成されたレール突起１４０にスライド方式で締結されるように一側端に形成されたレール溝部２１０と、固定部材２０によって屋根の軒１０に固定するために他側面に形成された固定ホール２２０と、上側面に長手方向に形成された第１レール結合具２３０と、末端に係止突起２４１が形成された第２レール結合具２４０とを含んでなる軒樋固定フレーム２００；前記軒樋フレーム１００に形成されたレール溝部１３０に締結されるように、一側端に長手方向にレール突起３１０が形成され、他側端上面に長手方向にレール固定段３２０が形成された平板状の固定ピン３００；及び平板体４１０と、前記平板体４１０の一側端に形成され、前記固定ピン３００に形成されたレール固定段３２０が結合されて水平方向に引き出されないように末端に固定段４２１が形成された支持片４２０によって３段に形成された扇形の係止部材４３０と、前記平板体４１０の他側端下面に形成され、前記軒樋固定フレーム２００の第２レール結合具２４０に対応して締結されるように末端に係止突起４５１が形成された第２レール係合具４５０と、前記平板体４１０の下面に形成され、前記軒樋固定フレーム２００の第１レール結合具２３０に対応して締結されるように形成された第１レール係合具４４０とを含んでなる角度調節クリップ４００；を含む。
【発明の効果】
【００１１】
以上説明したように本発明によれば、屋根の傾斜度に合う多様な形態の軒樋を選択する必要なしに、組立形態の変更によって屋根の傾斜度に合わせることができる軒樋組立体を提供して、より容易に施工及び解体することができる。
【００１２】
また、多様な形態の軒樋を施工現場に運ばなくても良いので、運搬費が節減され、施工が容易であって工期を短縮させることができるので、人件費が節減される経済性ある発明である。
【００１３】
さらに、軒樋を軒に密着して設置して、カバーと軒樋間の離隔の発生を最小化することにより、軒と軒樋間の漏水を防止するとともに建物の見掛けを美麗にし、軒樋を堅固に支持して外部の衝撃にも外形を維持するようにする非常に有用な発明である。
【図面の簡単な説明】
【００１４】
【図１】本発明の実施例による軒樋組立体の軒樋フレームを示す斜視図である。
【図２】本発明の実施例による軒樋組立体の軒樋固定フレームを示す斜視図である。
【図３】本発明の実施例による軒樋組立体の固定ピンを示す斜視図である。
【図４ａ】本発明の実施例による軒樋組立体の角度調節クリップを示す斜視図である。
【図４ｂ】本発明の実施例による軒樋組立体の角度調節クリップを示す斜視図である。
【図５】本発明の実施例による軒樋組立体を示す分解斜視図である。
【図６】本発明の実施例による軒樋組立体を示す結合斜視図である。
【図７】図６に示す本発明の実施例による軒樋組立体を示す側断面図である。
【図８】本発明の他の実施例による軒樋組立体を示す結合斜視図である。
【図９】本発明の実施例による軒樋組立体の施工方法を順に示す断面図である。
【図１０】本発明の他の実施例による軒樋組立体の固定ピンを示す斜視図である。
【図１１】本発明の実施例による軒樋組立体の軒樋フレームに固定結合される止水板を示す斜視図である。
【図１２】本発明の実施例による軒樋組立体の軒樋フレームに締結される係合具を示す断面図である。
【図１３ａ】本発明の実施例による軒樋組立体が軒下に施工されたものを示す使用状態図である。
【図１３ｂ】本発明の実施例による軒樋組立体が軒下に施工されたものを示す使用状態図である。
【図１３ｃ】本発明の実施例による軒樋組立体が軒下に施工されたものを示す使用状態図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
本発明の実施例による軒樋組立体は、軒樋フレーム１００、軒樋固定フレーム２００、固定ピン３００及び角度調節クリップ４００からなる。
【００１７】
図１は本発明の実施例による軒樋組立体の軒樋フレームを示す斜視図である。図１を参照すれば、本発明による軒樋組立体の軒樋フレーム１００は、内側面に多数の固定部材固定溝１２０が形成され、前面及び背面が貫通され上面が開放した“
0005458450.tif 000002
”形の管体１１０、前記管体１１０の左側上端内面に長手方向に形成されたレール溝部１３０及び右側末端部に長手方向に形成されたレール突起１４０でなり、前記管体１１０の右側外面には係止具１５０が形成される。
【００１８】
図２は本発明の実施例による軒樋組立体の軒樋固定フレームを示す斜視図である。図２を参照すれば、本発明による軒樋組立体の軒樋固定フレーム２００は、前記軒樋フレーム１００に形成されたレール突起１４０にスライド方式で締結されるように、一側端にレール溝部２１０が形成され、固定部材２０によって屋根の軒１０に固定するために、他側面に固定ホール２２０が形成される。
【００１９】
また、上側面に長手方向に第１レール結合具２３０が形成され、末端に係止突起２４１を備えた第２レール結合具２４０が形成される。
【００２０】
図３は本発明の実施例による軒樋組立体の固定ピンを示す斜視図である。図３を参照すれば、本発明による軒樋組立体の固定ピン３００は平板状のもので、前記軒樋フレーム１００に形成されたレール溝部１３０に締結されるように、一側端に長手方向にレール突起３１０が形成され、他側端上面に長手方向にレール固定段３２０が形成される。
【００２１】
図４ａは本発明の実施例による軒樋組立体の角度調節クリップを示す斜視図、図４ｂは本発明の実施例による軒樋組立体の角度調節クリップを示す断面図である。図４ａ及び図４ｂを参照すれば、本発明による軒樋組立体の角度調節クリップ４００は、平板体４１０と、前記平板体４１０の一側端に形成され、前記固定ピン３００に形成されたレール固定段３２０が結合されて水平方向に引き出されないように、末端に固定段４２１が形成された支持片４２０によって３段に形成された扇形の係止部材４３０が形成される。
【００２２】
特に、前記角度調節クリップ４００の支持片４２０によって３段に形成された係止部材４３０には、１５度（ａ、ｂ、ｃ）の間隔で第１貫通路４６１、第２貫通路４６２及び第３貫通路４６３が形成されることが好ましく、前記３段に形成された係止部材４３０によって屋根の傾斜度に合う多様な形態の軒樋を選択する必要なしに、第１貫通路４６１〜第３貫通路４６３のいずれか１ヶ所を選択し固定ピン３００のレール突起３１０を結合して締結することで、屋根の傾斜度に合わせることができる軒樋組立体を提供することができる。
【００２３】
前記平板体４１０の他側端下面には第２レール係合具４５０が形成され、前記第２レール係合具４５０は前記軒樋固定フレーム２００の第２レール結合具２４０に対応して締結される。前記第２レール係合具４５０は、末端に係止突起４５１が形成され、前記係止突起４５１は前記角度調節クリップ４００が軒樋固定フレーム２００から離脱しないようにする構成である。
【００２４】
また、前記平板体４１０の下面には第１レール係合具４４０が形成され、前記第１レール係合具４４０は前記軒樋固定フレーム２００の第１レール結合具２３０に対応して締結されることで、前記角度調節クリップ４００が軒樋固定フレーム２００に一層堅固に締結されるようにする。
【００２５】
図５は本発明の実施例による軒樋組立体を示す分解斜視図、図６は本発明の実施例による軒樋組立体を示す結合斜視図、図７は図６に示す本発明の実施例による軒樋組立体を示す側断面図である。
【００２６】
図５〜図７を参照すれば、本発明による軒樋組立体は、軒樋フレーム１００、軒樋固定フレーム２００、固定ピン３００及び角度調節クリップ４００でなり、前記軒樋固定フレーム２００は固定部材２０によって屋根の軒１０の上端に固定され、前記角度調節クリップ４００の係止部材４３０に締結された固定ピン３００が前記軒樋フレーム１００のレール溝部１３０にスライド方式で締結されて結合され、前記軒樋フレーム１００は軒樋固定フレーム２００のレール溝部２１０にスライド方式で締結され、前記角度調節クリップ４００は前記軒樋固定フレーム２００に締結される。
【００２７】
前記のように、本発明の実施例による軒樋組立体は、精密加工されて結合される方式で軒樋を軒に密着して設置することにより、軒と軒樋間の漏水を防止するとともに建物の見掛けを美麗にする利点がある。
【００２８】
図８は本発明の他の実施例による軒樋組立体を示す結合斜視図である。図８を参照すれば、前記軒樋フレーム１００と軒樋固定フレーム２００に設置される固定ピン３００及び角度調節クリップ４００は１ｍの幅（ｗ）を介在して設置されることが好ましい。
【００２９】
このような設置方法は、前記軒樋フレーム１００を前記軒樋固定フレーム２００に一層堅固に支持するためのものである。
【００３０】
図９は本発明の実施例による軒樋組立体の施工方法を順に示す断面図である。図９を参照すれば、前記軒樋固定フレーム２００に形成された固定ホール２２０に固定部材２０を締結して軒樋固定フレーム２００を屋根の軒１０の上端に固定する。
【００３１】
その後、屋根の傾斜度に合わせて固定ピン３００のレール固定段３２０を３段に形成された角度調節クリップ４００の係止部材４３０の第１貫通路４６１〜第３貫通路４６３のいずれかに締結する。
【００３２】
ついで、前記角度調節クリップ４００が締結された固定ピン３００のレール突起３１０を軒樋フレーム１００のレール溝部１３０に締結する。
【００３３】
その後、前記角度調節クリップ４００及び固定ピン３００が締結された軒樋フレーム１００のレール突起１４０を前記屋根の軒１０の上端に固定された軒樋固定フレーム２００のレール溝部２１０に差し込んで結合する。
【００３４】
その後、前記角度調節クリップ４００の第１レール係合具４４０は前記軒樋固定フレーム２００の第１レール結合具２３０に、第２レール係合具４５０は第２レール結合具２４０にそれぞれ締結することで仕上げる。
【００３５】
図１０は本発明の他の実施例による軒樋組立体の固定ピンを示す斜視図である。図１０を参照すれば、前記固定ピン３００に形成されたレール固定段３２０の一側端の上端部に押込防止突起３３０がさらに形成され、前記押込防止突起３３０は、前記レール固定段３２０が前記角度調節クリップ４００に形成された第１貫通路４６１〜第３貫通路４６３を通過しなくてそれ以上押し込まれないようにすることにより、前記固定ピン３００をより容易に前記角度調節クリップ４００に締結することができるようにするためである。
【００３６】
図１１は本発明の実施例による軒樋組立体の軒樋フレームに固定結合される止水板を示す斜視図である。図１１を参照すれば、前記軒樋フレーム１００の開放した前面または背面に止水板５００が位置し、前記軒樋フレーム１００に形成された固定部材固定溝１２０に多数の固定部材２０を締結して前記止水板５００を固定するものを示す図である。
【００３７】
前記止水板５００は屋根から下る水を軒樋フレーム１００に集まるようにし、軒樋フレーム１００に集まった水を所望の方向に移動させるための構成である。
【００３８】
図１２は本発明の実施例による軒樋組立体の軒樋フレームに締結される係合具を示す断面図である。図１２を参照すれば、本発明による係合具６００は、軒樋フレーム１００に形成された係止具１５０を屋根の軒１０に定着した係合具６００にかけて前記軒樋フレーム１００を堅固に支持する役目をし、軒樋組立体が外部の衝撃によっても外形を維持するようにするための構成である。
【００３９】
図１３ａ〜図１３ｃは本発明の実施例による軒樋組立体が軒下に施工されたものを示す使用状態図である。図１３ａ〜図１３ｃを参照すれば、本発明の実施例による軒樋組立体は、屋根の傾斜度に合う多様な形態の軒樋を選択する必要なしに、組立形態の変更によって屋根の傾斜度に合わせることができる軒樋組立体を提供して、より容易に施工及び解体することができる便利な発明である。
【００４０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４１】
本発明は、屋根の傾斜度によって組立状態を変更して施工及び解体を容易にし、軒と軒樋間の漏水を防止するとともに建物の見掛けを美麗にする軒樋組立体に適用可能である。
【符号の説明】
【００４２】
１０    屋根の軒
２０    固定部材
１００    軒樋フレーム
１１０    管体
１２０    固定部材固定溝
１３０、２１０    レール溝部
１４０、３１０    レール突起
１５０    係止具
２００    軒樋固定フレーム
２２０    固定ホール
２３０    第１レール結合具
２４０    第２レール結合具
２４１    係止突起
３００    固定ピン
３２０    レール固定段
３３０    押込防止突起
４００    角度調節クリップ
４１０    平板体
４２０    支持片
４２１    固定段
４３０    係止部材
４４０    第１レール係合具
４５０    第２レール係合具
４５１    係止突起
４６１    第１貫通路
４６２    第２貫通路
４６３    第３貫通路
５００    止水板
６００    かかることで
ａ、ｂ、ｃ    角度
ｗ    幅
【要約】
【課題】屋根の傾斜度に合わせることができ、軒と軒樋間の漏水を防止するとともに建物の見掛けを美麗にし、軒樋を堅固に支持して外部の衝撃にも外形を維持する軒樋組立体及びその施工方法を提供する。
【解決手段】軒樋組立体は、平板体４１０の一側端に形成され、固定ピン３００に形成されたレール固定段３２０が結合されて水平方向に引き出されないように末端に固定段４２１が形成された支持片４２０によって３段に形成された扇形の係止部材４３０と、平板体４１０の他側端下面に形成され、軒樋固定フレーム２００の第２レール結合具２４０に対応して締結されるように末端に係止突起４５１が形成された第２レール係合具４５０と、平板体４１０の下面に形成され、軒樋固定フレーム２００の第１レール結合具２３０に対応して締結されるように形成された第１レール係合具４４０とを含んでなる角度調節クリップ４００；を含む。
【選択図】図６【図１】
0005458450.tif 000003
【図２】
0005458450.tif 000004
【図３】
0005458450.tif 000005
【図４ａ】
0005458450.tif 000006
【図４ｂ】
0005458450.tif 000007
【図５】
0005458450.tif 000008
【図６】
0005458450.tif 000009
【図７】
0005458450.tif 000010
【図８】
0005458450.tif 000011
【図９】
0005458450.tif 000012
【図１０】
0005458450.tif 000013
【図１１】
0005458450.tif 000014
【図１２】
0005458450.tif 000015
【図１３ａ】
0005458450.tif 000016
【図１３ｂ】
0005458450.tif 000017
【図１３ｃ】
0005458450.tif 000018